(57)【要約】【課題】人体への感電をなくし、かつ被加熱物の浮き上がりを防止した信頼性が高くコンパクト設計可能な誘導加熱装置を提供することを目的とする。【解決手段】トッププレート５に設けた電気導体４は、その外周部から下方に向けて形成された延長部８と、延長部８の先端に設け低電位部を接続する接続部９と、延長部８に設けた熱的接続低減手段１３とを有する。これによって、電気導体４が浮力低減機能および静電シールド機能の両機能を有し、部品数少なく、人体への感電をなくし、かつ被加熱物１５の浮き上がりを防止できる。また、接続部９を電気導体４の外周部から下方に向けて形成しているので、径方向に電気導体４が大きくなることなく、コンパクトとなり、周囲部品への電気導体４からの熱的悪影響がない。さらに、熱的接続低減手段１３により、接続部９への熱伝導を低減し、信頼性が高くコンパクト設計可能となる。【選択図】図１
2006216430.tif 000002
【特許請求の範囲】
【請求項１】
被加熱物を載置するトッププレートと、トッププレートの下方に設けて被加熱物を誘導加熱する加熱コイルと、加熱コイル側からトッププレートに設けた電気導体とを備え、前記電気導体は、その外周部から下方に向けて形成された延長部と、延長部の先端に設け低電位部を接続する接続部と、延長部に設け電気導体から接続部への熱伝導を低減する熱的接続低減手段とを有する誘導加熱装置。
【請求項２】
熱的接続低減手段は、延長部の断面積を部分的または全体的に小さくして形成した請求項１に記載の誘導加熱装置。
【請求項３】
熱的接続低減手段は、延長部に穴を１箇所または複数箇所設けて形成した請求項１または２に記載の誘導加熱装置。
【請求項４】
下方に向けて形成された延長部の屈曲部は、他の部分の断面積と同等または大きくした請求項１〜３のいずれか１項に記載の誘導加熱装置。
【請求項５】
下方に向けて形成された延長部は、加熱コイルを支持した支持体より下方に突出させるとともに、支持体の下側で外側に曲げた曲げ部を有する請求項１〜４のいずれか１項に記載の誘導加熱装置。
【請求項６】
曲げ部にスリットを設けた請求項５に記載の誘導加熱装置。
【請求項７】
加熱コイルと電気導体の間に空間を設け、冷却風を空間に通す構成とし、延長部に冷却風を当てるようにした請求項１〜６のいずれか１項に記載の誘導加熱装置。
【請求項８】
加熱コイルより外側でかつ延長部より内側の位置に、接続部に向けて冷却風を送り込むダクトを設けた請求項１〜７のいずれか１項に記載の誘導加熱装置。
【発明の詳細な説明】
【技術分野】
【０００１】
本発明は、被加熱物と加熱コイルとの間に電気導体を設けた誘導加熱装置に関するものである。
【背景技術】
【０００２】
従来、加熱コイルの発生する高周波磁界により負荷となる鍋などの被加熱物に渦電流を誘起して加熱する誘導加熱装置が、熱効率が高く、安全で且つ清潔であるという特性から注目されている。近年は、鉄のような高透磁率の被加熱物だけでなく、アルミニウムまたは銅のような低透磁率で高電気伝導率の被加熱物を加熱することができる誘導加熱装置が開発されている。
【０００３】
ところで、このような誘導加熱装置では、加熱コイルと被加熱物との間に浮遊容量（等価容量）が存在し、ユーザが被加熱物に触ると、浮遊容量およびユーザの身体の内部抵抗（等価抵抗）を通じて、加熱コイルからグラウンドに電流が流れる。これは低透磁率で高電気伝導率の被加熱物を加熱する場合は、高透磁率の被加熱物を加熱する場合よりも、加熱コイルの巻数が多く、加熱コイルに印加される電圧が高いため、高圧の加熱コイルから人体に所定以上の電流が漏洩することは危険である。このため、低透磁率で高電気伝導率の被加熱物を加熱する誘導加熱装置の場合、人体に漏洩電流が流れることを防止する必要があり、トッププレートの裏面に導電膜を設け、その導電膜を接地することにより人体に漏洩電流が流れることを防止するものが知られている（例えば、特許文献１参照）。
【０００４】
また、誘導加熱装置は、被加熱物に到達する磁束の量により、被加熱物の加熱温度を調整することができる。このため、加熱コイルと被加熱物との間に環状の電気導体を用いて温度分布を調節するものが知られている（例えば、特許文献２参照）。この場合、電気導体は、外周縁と内周縁との間にスリットを有する。電気導体の外周縁には、加熱コイルの高周波電流と反対方向の誘導電流が流れ、この誘導電流はスリットで遮断される。電気導体の内周縁には、外周縁の誘導電流と逆向き（加熱コイルと同一方向）の誘導電流が流れる。この加熱コイルに流れる高周波電流と、電気導体の外周縁および内周縁に流れる誘導電流とによって、磁界の強度を調節し、被加熱物を加熱するものである。
【０００５】
特に、低透磁率で高電気伝導率の被加熱物を加熱する場合、電気導体は発熱するが、近年普及してきた天面操作型の機器などに対しては、電気導体の熱影響が天面操作のＬＣＤなどに害を及ぼさないように、電気導体はできるだけ天面操作部から離す必要がある。また、さらなる高性能化の要望に伴い、筐体内は高密度化し、横方向、高さ方向ともにコンパクトな設計が要求される。
【特許文献１】実開昭５０−８２０４６号公報
【特許文献２】特開平７−２４９４８０号公報
【発明の開示】
【発明が解決しようとする課題】
【０００６】
しかしながら、前記従来の構成では、人体に漏洩電流が流れることを防ぐ導電膜、温度分布の調整を行う電気導体は、それぞれ別個の部品であった。そのため、これらの機能を全て有する誘導加熱装置となると高価になるという課題があった。また、コンパクト設計への対応は十分なされていないものであった。
【０００７】
本発明は、前記従来の課題を解決するもので、人体への感電をなくし、かつ被加熱物の浮き上がりを防止した信頼性が高くコンパクト設計可能な誘導加熱装置を提供することを目的とするものである。
【課題を解決するための手段】
【０００８】
前記従来の課題を解決するために、本発明の誘導加熱装置は、加熱コイル側からトッププレートに設けた電気導体は、その外周部から下方に向けて形成された延長部と、延長部の先端に設け低電位部を接続する接続部と、延長部に設け電気導体から接続部への熱伝導を低減する熱的接続低減手段とを有するものである。
【０００９】
これによって、電気導体が浮力低減機能および静電シールド機能の両機能を有し、部品数少なく、人体への感電をなくし、かつ被加熱物の浮き上がりを防止した誘導加熱装置となる。また、接続部を電気導体の外周部から下方に向けて形成されているので、特に、径方向に電気導体が大きくなることなく、コンパクトとなり、天面ＬＣＤなど周囲部品への電気導体からの熱的悪影響がない。さらに、延長部には熱伝導低減手段が設けられているので、接続部への熱伝導を低減し、接続部の温度を下げることができ、電気的接続が確実なものとなり、信頼性が高くコンパクト設計可能な誘導加熱装置が実現できる。
【発明の効果】
【００１０】
本発明の誘導加熱装置は、人体への感電をなくし、かつ被加熱物の浮き上がりを防止した信頼性が高くコンパクト設計可能なものである。
【発明を実施するための最良の形態】
【００１１】
第１の発明は、被加熱物を載置するトッププレートと、トッププレートの下方に設けて被加熱物を誘導加熱する加熱コイルと、加熱コイル側からトッププレートに設けた電気導体とを備え、前記電気導体は、その外周部から下方に向けて形成された延長部と、延長部の先端に設け低電位部を接続する接続部と、延長部に設け電気導体から接続部への熱伝導を低減する熱的接続低減手段とを有する誘導加熱装置である。これによって、電気導体が浮力低減機能および静電シールド機能の両機能を有し、部品数少なく、人体への感電をなくし、かつ被加熱物の浮き上がりを防止した誘導加熱装置となる。また、接続部を電気導体の外周部から下方に向けて形成されているので、特に、径方向に電気導体が大きくなることなく、コンパクトとなり、天面ＬＣＤなど周囲部品への電気導体からの熱的悪影響がない。さらに、延長部には熱伝導低減手段が設けられているので、接続部への熱伝導を低減し、接続部の温度を下げることができ、電気的接続が確実なものとなり、信頼性が高くコンパクト設計可能な誘導加熱装置が実現できる。
【００１２】
第２の発明は、特に、第１の発明において、熱的接続低減手段は、延長部の断面積を部分的または全体的に小さくして形成したことにより、伝熱面積を小さくすることで熱的縁切りを行って接続部の温度を低減し、温度低減させた接続部で低電位部への接続を行い、電気的接続を確実なものにし信頼性を高めたものである。
【００１３】
第３の発明は、特に、第１または第２の発明において、熱的接続低減手段は、延長部に穴を１箇所または複数箇所設けて形成したことにより、比較的簡素な手段で熱的接続低減手段を実現でき、構造的にも延長部の穴の両側面はつながっている安定した形状となるため、簡素でかつ安定し信頼性を高めたものである。
【００１４】
第４の発明は、特に、第１〜第３のいずれか１つの発明において、下方に向けて形成された延長部の屈曲部は、他の部分の断面積と同等または大きくしたことにより、強度が低下しやすい屈曲部の断面積を必要程度以上確保し耐折損性を向上することで構造的に安定した信頼性のあるものとすることができる。
【００１５】
第５の発明は、特に、第１〜第４のいずれか１つの発明において、下方に向けて形成された延長部は、加熱コイルを支持した支持体より下方に突出させるとともに、支持体の下側で外側に曲げた曲げ部を有することにより、電気導体から延長部の先端の接続部までの距離を伸ばすことで、接続部の温度をさらに低減することができ、さらに信頼性を高めることができる。さらに、曲げ部を設けることで、特に、高さ方向の出っ張りをなくすることができ、省スペース化を実現できる。
【００１６】
第６の発明は、特に、第５の発明において、曲げ部にスリットを設けたことにより、曲げ部を曲げ易くすることができ、加工性が向上する。
【００１７】
第７の発明は、特に、第１〜第６のいずれか１つの発明において、加熱コイルと電気導体の間に空間を設け、冷却風を空間に通す構成とし、延長部に冷却風を当てるようにしたことにより、接続部の温度をより低減することができ、さらに信頼性を高めることができる。
【００１８】
第８の発明は、特に、第１〜第７のいずれか１つの発明において、加熱コイルより外側でかつ延長部より内側の位置に、接続部に向けて冷却風を送り込むダクトを設けたことにより、延長部だけでなく、接続部にも冷却風を積極的に当て、接続部の温度をより低減することができ、さらに信頼性を高めることができる。
【００１９】
以下、本発明の実施の形態について、図面を参照しながら説明する。なお、この実施の形態によって本発明が限定されるものではない。
【００２０】
（実施の形態１）
図１、図２は、本発明の実施の形態１における誘導加熱装置を示すものである。
【００２１】
本実施の形態における誘導加熱装置は、鍋、フライパンなどの被加熱物１５を載置するトッププレート５と、トッププレート５の下方に設けて被加熱物１５を誘導加熱する加熱コイル１と、加熱コイル１側からトッププレート５に設けた電気導体４とを備え、前記電気導体４は、その外周部から屈曲部１４で屈曲され下方に向けて形成された帯状の延長部８と、延長部８の先端に設け低電位部を接続する接続部９と、延長部８に設け電気導体４から接続部９への熱伝導を低減する熱的接続低減手段１３とを有する。
【００２２】
加熱コイル１は、制御回路（図示せず）から高周波電流を供給されると、高周波磁界を発生し、被加熱物１５を誘電加熱するものであり、内側を高電位側にし、外側を低電位側にしている。そして、加熱コイル１は支持体２上部に載置され支持されている。
【００２３】
支持体２は耐熱樹脂製で、加熱コイル１の下面に強磁性体のフェライトコア３を略平行に配置している。支持体２はフェライトコア３の表面を覆うように形成され、フェライトコア３が加熱コイル１と電気的に絶縁される構成になっている。
【００２４】
電気導体４は、加熱コイル１とトッププレート５の間に設けられ、好ましくは、トッププレート５のすぐ下で、絶縁板６の上に載置されトッププレート５に設けている。電気導体４は、絶縁板６の上に載置されることにより、空間１１を介して加熱コイル１と電気的に絶縁される。電気導体４の位置は絶縁板６を介して、支持体２から突出した電気導体支持部１０により規制される。電気導体支持部１０は内周側に巾約２ｍｍで４箇所、外周側に巾約１５ｍｍで１２箇所等間隔に配置されており、冷却風が加熱コイル１の上面を流れる妨げにならないようになっている。
【００２５】
電気導体４は、厚さが略１ｍｍのアルミニウムの板により形成され、外径および内径が加熱コイル１のものとほぼ同じ略ドーナツ状で、幅約１０ｍｍのスリットで２分割されている（図示せず）。
【００２６】
熱的接続低減手段１３は、延長部８の略中心線上に穴を１箇所または複数箇所設けて形成した（本実施の形態では、穴を２箇所設けている）。また、屈曲部１４には穴を設けていない。その接続部９の先端で平形接続子１６による接続が行われ、コンデンサ１２を介して商用電源電位、あるいは加熱コイル１に高周波電流を供給するインバータの入力する商用電源を整流した電位、あるいは大地に電気的に接続される。
【００２７】
接続部９の接続は、かしめ、溶接などの方法を用い、異種金属の接続とした時に腐食の心配がある場合は、シリコン等を塗布し、空気と遮断してもよい。
【００２８】
絶縁体であるトッププレート５は、耐熱セラミックス製であり、その上に被加熱物１５アルミニウムや銅といった低透磁率でかつ高電気伝導率材料からなる被加熱物１５が加熱コイル１に対向するように載置される。シールドリング７は、リード線またはダイキャストのリングまたはプレス品で形成され、加熱コイル１やフェライトコア３の外側に設けられる。
【００２９】
このように組み立てられた誘導加熱装置の動作を説明する。
【００３０】
加熱コイル１に制御回路（図示せず）から高周波電流が供給されると、加熱コイル１は磁界を発生する。加熱コイル１の発生する高周波磁界により、被加熱物１５の底面に電流が誘起される。電気導体４がない場合、誘導電流は加熱コイル１から発生した磁界を相殺する様に被加熱物１５に誘起される。この結果、加熱コイル電流と方向が逆で平行な誘導電流が高電気伝導率の被加熱物１５に誘導される。誘導電流と加熱コイル電流との相互作用で被加熱物１５の底に加熱コイル１から遠ざかろうとする反発力が生じ、被加熱物１５に浮力が発生する。特に、被加熱物１５がアルミニウムや銅といった低透磁率かつ高電気伝導率材料である場合に、浮力が生じる。
【００３１】
電気導体４がある場合は、加熱コイル１の発生する磁界が電気導体４に鎖交して、電気導体４に誘導電流が誘起される。電気導体４の厚みは約１ｍｍで浸透深さ以上の厚みを有するので、電気導体４に鎖交した磁界の大部分はほとんど電気導体４を通過せず、外周側または内周側に迂回してから被加熱物１５方向に導かれる。つまり、被加熱物１５に誘導される電流の分布は、電気導体４に誘導電流が発生することにより変わる。
【００３２】
加熱コイル１が発生する磁界は、電気導体４と被加熱物１５に鎖交し、両者に誘導電流を発生させる。被加熱物１５に誘起された誘導電流は、加熱コイル１の発生する磁界分布と、電気導体４に誘起された電流の発生する磁界分布の重畳した磁界分布が被加熱物１５に鎖交することにより発生する。このように、電気導体４が介在することにより、被加熱物１５に誘導される電流分布が変化し、さらに電気導体４に発生する電流分布が加わるということから、加熱コイル１の等価直列抵抗（被加熱物１５および電気導体４を加熱状態と同様の位置配置で、加熱周波数近傍の周波数を使用して測定した加熱コイル１の入力インピーダンスにおける等価直列抵抗）が大きくなる。
【００３３】
等価直列抵抗が大きくなると、同じ加熱コイル電流でも被加熱物１５における発熱量が大きくなるので、同一消費電力を得ようとする場合には加熱コイル１に流す電流値を小さくすることができ、それに伴い被加熱物１５に作用する浮力が低減する。さらに、電気導体４が被加熱物１５に働くべき浮力の一部を分担することで、被加熱物１５に作用する浮力を低減できる。
【００３４】
このように、電気導体４は、同一出力を得る場合の加熱コイル１に流れる電流を低減して、加熱コイル１の発生する磁界により被加熱物１５に対して働く浮力を低減する浮力低減機能を有する。この結果、アルミニウム若しくは銅またはこれらと略同等以上の電気伝導率を有し、かつ低透磁率材料からなる被加熱物１５を加熱した時に浮き上がったりずれたりするのを防止することができる。
【００３５】
電気導体４はアルミニウム製であるので低透磁率であり、磁束がその電気導体４に吸収されにくい（被加熱物１５に到達しない磁束量が多くならない）。加熱コイル１の磁束が鎖交することにより、電気導体４に誘導された電流で磁界の向きや分布が変更される。電気導体４内を通過させ被加熱物１５に鎖交させるか、または電気導体４を迂回させ被加熱物１５に鎖交させるかのいずれかの経路で、磁束を効率的に被加熱物１５に鎖交させることができる。
【００３６】
電気導体４は、加熱コイル１における被加熱物１５側の面の一部または全部と対向し板状に形成されてなる。これにより、加熱コイル１から発生する磁界の一部を被加熱物１５に到達する前に、電気導体４に効率良く鎖交させ、電気導体４の周囲から迂回して被加熱物１５に加熱コイル１の磁界を鎖交させることになる。
【００３７】
なお、本実施の形態では、加熱コイル１のほぼ全部と対向するように電気導体４の大きさを決めたが、電気導体４の板の面積は大きいほど、また電気導体４が加熱コイル１に近いほど電気導体４に加熱コイル１の磁束が多く通過し、等価直列抵抗増加作用を大きくすることができることから、電気導体４の表面積は、必要とする浮力低減効果を得るように、また、電気導体４と加熱コイル１間の距離、電気導体４の発熱などの条件を考慮して決めれば良い。
【００３８】
電気導体４はトッププレート５のすぐ下に載置されることにより、電気導体４の熱はトッププレート５を介して放熱される。電気導体４の接続部９を低電位部（例えば、入力する電源電圧、その整流後の直流電圧あるいはそれに近い電位など、加熱コイル１の高電位部より電位の低い部分）に接続することにより、加熱コイル１に発生する高電圧部分と被加熱物１５との静電結合が小さくなる。加熱コイル１に発生する高周波高電圧が加熱コイル１と被加熱物１５間の浮遊容量を介して使用者の体に流れるリーク電流を抑制することができる。
【００３９】
言いかえれば、電気導体４とグラウンドとの間に、電気導体４の内部抵抗（等価抵抗）と、電気導体４と使用者の身体との間の浮遊容量（等価容量）および使用者の身体の内部抵抗（等価抵抗）とが並列に接続される。電気導体４の内部抵抗（等価抵抗）のインピーダンスは、浮遊容量（等価容量）および使用者の身体の内部抵抗（等価抵抗）のインピーダンスと比較して非常に小さいので、加熱コイル１からの漏洩電流はほとんど電気導体４を通じてグラウンドに流れ、使用者の身体にはほとんど電流が漏洩しない。
【００４０】
被加熱物１５が低透磁率でしかも低抵抗のアルミニウムや銅などからなる鍋のとき、加熱コイル１に流れる周波数が高くなり、加熱コイル１に印加されるピーク電圧が１ＫＶ以上になる。
【００４１】
上記のように電気導体４が低電位部に電気的に結合されていれば、被加熱物１５と電気導体４との間の電位差が小さくなるため、被加熱物１５に人体が触れた場合の漏れ電流が大幅に低減される。したがって、被加熱物１５に人体が触れても安全である。
【００４２】
加熱コイル１に高周波電流を供給すると、加熱コイル１の発生する磁界により、シールドリング７に高周波電流が誘導される。シールドリング７に誘導された高周波電流は、リングの内側においては加熱コイル１の磁界と同一方向に、リングの外側においては加熱コイル１による磁界と反対方向の磁界を発生するため、加熱コイル１から外周に漏洩する磁界を低減する。なお、フェライトコア３による防磁効果が十分であれば、シールドリングを有しない構成としても良い。
【００４３】
以上のように、本実施の形態においては、電気導体４は、加熱コイル１に対向して被加熱物１５を配置した時の加熱コイル１の等価直列抵抗を大きくするとともに、加熱コイル１の発生する磁界が被加熱物１５に対して働く浮力を低減する浮力低減機能を有する。アルミニウム、銅、または黄銅など低透磁率かつ高電気伝導率材料の被加熱物１５を、調理中に浮き上がることを防止しつつ加熱できる。
【００４４】
また、電気導体４を直接低電位部に接続することにより、加熱コイル１に発生する高周波高電圧が加熱コイル１と被加熱物１５間の浮遊容量を介して使用者の体に流れるリーク電流を抑制することができる。
【００４５】
また、電気導体４が浮力低減機能と静電シールド機能の両方の機能を有することにより、部品数少なくコンパクト設計可能で安全かつ低価格な誘導加熱装置を実現できる。
【００４６】
また、延長部８の断面積を部分的（全体的でもよい）に小さくすることで熱的接続低減手段１３を形成することもでき、伝熱面積を小さくすることで、熱的縁切りを行い、接続部９の温度を低減することにより、温度を低減させた接続部９で低電位部への接続を行い、電気的接続を確実なものにし、信頼性のある誘導加熱装置を実現できる。
【００４７】
また、延長部８の略中心線上に穴を２箇所（１箇所、または、複数箇所でもよい）設け、伝熱面積を小さくすることで熱的縁切りを行い、接続部９の温度を低減することにより、比較的簡素な手段で熱的接続低減手段１３を実現でき、構造的にも延長部８の穴の両側面が２箇所つながっている形状となり安定した形状となるため、簡素でかつ安定した信頼性のある誘導加熱装置を実現できる。
【００４８】
また、延長部８の屈曲部１４は他の部分の断面積と同等または大きくしたことにより、強度が低下しやすい曲げ部の断面積を必要程度以上確保し耐折損性を向上することで構造的に安定した信頼性のある誘導加熱装置を実現できる。
【００４９】
また、接続部９への伝熱距離を稼ぐために必要以上に電気導体４の面積（外周側）を広げていないので、トッププレート５との熱的接続部が必要以上に増えることはなく（熱交換がトッププレート５のみと行われる場所が増えると、被加熱物１５との有効熱的接続面積が減ってしまう）、電気導体４が有効に被加熱物１５と熱的接続でき、性能を維持することができる。
【００５０】
また、加熱コイル１と電気導体４の間に空間１１を設け、冷却風を空間１１に通す構成とし、冷却風を延長部８に当てることによって、延長部８を冷却風で冷却することにより、接続部９の温度を低減することができ、さらに信頼性のある誘導加熱装置を実現できる。
【００５１】
（実施の形態２）
図３、図４は、本発明の実施の形態２における誘導加熱装置を示すものである。実施の形態１と同一要素については同一符号を付して説明を省略する。
【００５２】
本実施の形態における誘導加熱装置は、下方に向けて形成された延長部８は、加熱コイル１を支持した支持体２より下方に突出させるとともに、支持体２の下側で外側に曲げた曲げ部１７（曲げた後の接続部９は支持体２の外側に突出させない、または、できるだけ突出を少なくする）を有している。これにより、電気導体４から延長部８の先端の接続部９までの距離を伸ばしている。そして、曲げ部１７にはスリット１９を設けて曲げ易くしている。また、加熱コイル１より外側でかつ延長部８より内側の位置に、接続部９に向けて冷却風を送り込むダクト１８を設け、延長部８だけでなく、接続部９にも冷却風を積極的に当て、接続部９の温度をより低減することができ、さらに信頼性を高めたものである。他は実施の形態１と同一である。
【００５３】
以上のように、本実施の形態においては、電気導体４から延長部８の先端の接続部９までの距離を伸ばすことにより、接続部９の温度をより低減することができ、さらに信頼性のある誘導加熱装置を実現できる。
【００５４】
また、曲げ部１７を設けることで、特に、高さ方向の出っ張りをなくすることができ、省スペース化を実現できる。
【００５５】
さらに、接続部９に向けて冷却風を送り込むダクト１８を設けることにより、接続部９の温度をより低減することができ、さらに信頼性のある誘導加熱装置を実現できる。
【００５６】
なお、本実施の形態１、２においては、各電気導体と低電位部（商用電源電位や大地など）との接続を接続部９の１箇所のみで行っているが、複数個設けて、単純に信頼性を増したり、複数の接続部９間に電流を流して接続の有無を検知したりして、接続が良好の時のみ加熱コイル１に通電する構成とすればより安全性を向上できる。
【産業上の利用可能性】
【００５７】
以上のように、本発明にかかる誘導加熱装置は、人体への感電をなくし、かつ被加熱物の浮き上がりを防止した信頼性が高くコンパクト設計可能なものであるので、誘導加熱調理器などとして有用である。
【図面の簡単な説明】
【００５８】
【図１】本発明の実施の形態１における誘導加熱装置の断面図
【図２】同誘導加熱装置の要部を示す斜視図
【図３】本発明の実施の形態２における誘導加熱装置の断面図
【図４】同誘導加熱装置の要部を示す斜視図
【符号の説明】
【００５９】
１  加熱コイル
２  支持体
４  電気導体
５  トッププレート
８  延長部
９  接続部
１１  空間
１３  熱的接続低減手段
１４  屈曲部
１５  被加熱物
１７  曲げ部
１８  ダクト
１９  スリット
【図１】
2006216430.tif 000003
【図２】
2006216430.tif 000004
【図３】
2006216430.tif 000005
【図４】
2006216430.tif 000006